(57)【要約】【課題】瞬間的な電流消費により過電流が発生しても、ＵＳＢポートからの電源供給がシャットダウンすることがなく、従って光ディスク装置がシャットダウンせず通常動作に復帰することができる光ディスク装置および光ディスク装置の記録再生方法を提供することを目的とする。【解決手段】ＵＳＢポートの電力伝達部より流入する電流を検出する電流検出部と、を有し、流入電流が所定値を越えたらアクチュエータドライバ、フィードモータドライバおよびスピンドルモータダライバの少なくとも１つを一時停止し、流入する電流が閾値以下になるまで断続的にアクチュエータドライバ、フィードモータドライバおよびスピンドルモータドライバの少なくとも１つを一時停止する構成とする。【選択図】図３
2006309912.tif 000002
【特許請求の範囲】
【請求項１】
光ピックアップユニットのトラッキングサーボの制御又はフォーカスサーボの制御を行う光ピックアップ制御手段と、
外部機器との接続手段と、
前記接続手段を介して前記外部機器から電力の供給を受けその入力電流を検知する入力電流レベル検知部と、
前記入力電流レベル検出部が所定の閾値を越えたことを検知した場合、前記光ピックアップユニットの制御を一時停止する制御手段と、を具備したことを特徴とする光ディスク装置。
【請求項２】
前記光ピックアップ制御手段は、フィードモータドライバ、スピンドルモータドライバ、アクチュエータドライバを有し、前記制御手段は、前記フィードモータドライバ、前記スピンドルモータドライバ、前記アクチュエータドライバの少なくとも１つを一時停止することを特徴とする請求項１記載の光ディスク装置。
【請求項３】
前記所定の電流値を越えたことを検知したら前記光ピックアップユニットの制御を複数回数に分けて一時停止することを特徴とする請求項１記載の光ディスク装置。
【請求項４】
前記接続手段は、ＵＳＢ（ユニバーサル・シリアル・バス）であり、前記接続手段により接続される外部機器はコンピュータであることを特徴とする請求項１から３いずれか１項に記載の光ディスク装置。
【請求項５】
コンピュータとＵＳＢポートによって接続される外付けタイプの光ディスク装置であって、
光ディスクを回転させるスピンドルモータと、
前記光ディスクに対して情報の記録または再生を行う光ピックアップユニットと、
前記光ピックアップユニットを前記光ディスクの半径方向に粗移動するフィードモータと、
前記スピンドルモータを駆動するスピンドルモータドライバと、
前記光ピックアップユニットを駆動するアクチュエータドライバと、
前記フィードモータを駆動するフィードモータドライバと、
ＵＳＢポートから前記スピンドルモータ、前記アクチュエータドライバまたは前記フィードモータドライバへの入力電流を検知する電流レベル検出部と、を有し、
前記電流レベル検出部が、前記流入電流レベルが所定値を越えたことを検知した場合、前記流入電流が閾値以下になるまで断続的に前記スピンドルモータドライバ、前記アクチュエータドライバまたは前記フィードモータドライバのいずれかを停止することを特徴とする光ディスク装置。
【請求項６】
前記制御手段は、前記光ピックアップユニットの制御を一時停止するとともに、前記光ピックアップユニットによる記録又は再生を一時停止することを特徴とする請求項１から請求項５のいずれか１項記載の光ディスク装置。
【請求項７】
光ピックアップユニットのトラッキングサーボの制御又はフォーカスサーボの制御を行う光ピックアップ制御手段を有する光ディスク装置の記録再生方法であって、
外部機器との接続手段との接続手段を介して前記外部機器から電力の供給を受けその入力電流を検知する入力電流レベル検知部と、
前記入力電流レベル検出部が所定の閾値を越えたことを検知した場合、前記光ピックアップユニットの制御を一時停止することを特徴とする光ディスク装置の記録再生方法。
【発明の詳細な説明】
【技術分野】
【０００１】
本発明は、光ディスクに対して情報の記録又は再生の少なくとも一方を行なう光ピックアップユニットを有する光ディスク装置および光ディスク装置の記録再生方法に関するものである。
【背景技術】
【０００２】
コンピュータ等の電子機器に接続して使用する周辺機器には、接続したコンピュータ等の電子機器から電力供給を受けることが出来るものがある。例えば、ユニバーサル・シリアル・バス（以下「ＵＳＢ」と称す）は電源バスを有しているため、この電源バスにて電力供給を受けている接続機器がある。
【０００３】
ここでは、ＵＳＢにて電力供給可能な従来の光ディスク装置を例として、図を用いて説明する。
【０００４】
図７は、従来の光ディスク装置の構成を示すブロック図である。図７において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインターフェース部、２２はインターフェースバス、２３は電源ユニット、２４はＰＣ電源、２５はＡＣアダプタ、２６はＤＩＰＳＷである。
【０００５】
光ディスク１はスピンドルモータ３によって回転し、光ピックアップユニット４がフィードモータ２によって光ディスク１の半径方向に移動して、光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【０００６】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており（図示せず）、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【０００７】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインターフェース部２１を経由し、インターフェースバス２２を使った通信でコンピュータとやりとりされるものである。
【０００８】
ＣＰＵ１７は論理判断や演算を行う。１８はリードオンリメモリ（ＲＯＭ）で、制御プログラム、ならびに光ディスク装置のための記録および再生制御プログラムを記憶したプログラム記憶エリアを有している。１９はメインメモリであり、記録制御、再生制御に必要な記憶領域として使用される。
【０００９】
システムバス１６は、光ディスク装置内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインターフェース部２１から電源端子ＶＢＵＳ端子の電圧に連動しドライブの電源ユニット２３に電圧を供給する仕組みを有し、ＵＳＢ電源のＯＮ／ＯＦＦに連動し自動的にドライブを起動及び終了させる。
【００１０】
ここで、従来の光ディスク装置における光ピックアップユニット４の制御について、図８を用いて説明する。
【００１１】
図８は、従来の光ピックアップユニットの制御を示すフローチャートである。光ディスク装置は、光ディスク１が挿入されると、スピンドルモータ３を回転させ、起動処理を開始し、フォーカスサーボ、トラッキングサーボをかけ、光ディスク１の種類判別を行なう（Ｓ１）。光ピックアップが搭載された光ピックアップユニット４で光ディスク１からのトラッキング信号とフォーカスエラー信号が検出され（Ｓ２）、検出されたトラッキングエラー信号とフォーカスエラー信号は、リードアンプ９で増幅される（Ｓ３）。フォーカスエラー信号とは、光ピックアップユニット４に備えられた対物レンズ（図示せず）より出射される光ビームスポットと光ディスク１の記録面との焦点方向のずれをいい、トラッキングエラー信号とは、前記光ビームスポットと光ディスク１の情報トラック間での光ディスク半径方向のずれをいう。増幅されたトラッキングエラー信号とフォーカスエラー信号は、ＣＤサーボプロセッサ１５に送られ、そこで、トラッキングドライブ信号とフォーカスドライブ信号が生成される（Ｓ４）。生成されたトラッキングドライブ信号とフォーカスドライブ信号は、ＣＤサーボプロセッサ１５からアクチュエータドライバ８に送られ、光ピックアップユニット４の制御を行なう（Ｓ５）。光ピックアップユニット４では、光ディスク１に対して、データの読み込み、書き込みを行なう（Ｓ６）。
【００１２】
この分野の先行例としては、（特許文献１）等がある。
【特許文献１】特開平１１−３９６７１号公報
【発明の開示】
【発明が解決しようとする課題】
【００１３】
上述したようなコンピュータなどの電子機器に接続される光ディスク装置は、接続する電子機器から供給される限られた電流を使用して動作する場合がある。しかしながら、光ディスク装置の消費電流は一定とは限らず、例えば、ＵＳＢ等を介して接続される外付けタイプの光ディスク装置の場合におけるフォーカスエラー信号やトラッキングエラー信号を基に光ピックアップユニット４の動作および制御を行なうフィードモータドライバ６、スピンドルモータドライバ７の消費電流によっても変動する。
【００１４】
図９は、従来のドライバ電流の波形構成図である。光ディスク装置の消費電流が変動し、ＵＳＢを介して供給されるＰＣ電源２４からの電流供給が許容電流量を超える過電流が発生した場合、図９に示す従来のドライバ電流の波形構成のＭ５Ｖ電流８０１のように、ＰＣのＵＳＢポートからのモータドライバへの電源供給Ｍ５Ｖ電流がシャットダウンし、光ディスク装置がシャットダウンすることがあった。
【００１５】
本発明は、上記課題を解決するためになされたものであり、瞬間的な電流消費により過電流が発生しても、ＵＳＢポートからの電源供給がシャットダウンすることがなく、従って光ディスク装置がシャットダウンせず通常動作に容易に復帰することができる光ディスク装置を提供することを目的とする。
【課題を解決するための手段】
【００１６】
本発明は、上記の課題を解決するためになされたものであって、光ピックアップユニットのトラッキングサーボの制御又はフォーカスサーボの制御を行う光ピックアップ制御手段と、外部機器との接続手段と、接続手段を介して外部機器から電力の供給を受けその入力電流を検知する入力電流レベル検知部と、入力電流レベル検出部が所定の閾値を越えたことを検知した場合、光ピックアップユニットの制御を一時停止する制御手段とを具備した光ディスク装置であり、この構成により、例えば光ディスク装置に外的要因による振動が発生しフォーカスエラー、トラッキングエラーが増大しても、外部機器からの流入電流を監視できるようになり、外部機器の供給能力内のレベルに制御することができ、また光ディスク装置に対しての衝撃などの外的要因による流入電流増加や、光ディスクメディアの重偏芯、キズなどによるトラッキングエラー修正などの要因による流入電流増加によって、所定の電流の閾値を越えてもモータなどの付加を一時的に制限できるので、外部機器の供給能力を超えることがなく外部機器の供給能力に応じた対応が出来るようになる。
【発明の効果】
【００１７】
本発明は上記構成により、光ディスク装置に瞬間的に外的な振動などが加わることによりトラッキングエラーやフォーカスエラーが大きくなり、瞬間的な電流消費により過電流が発生しても、ＵＳＢポートからの電源供給がシャットダウンさせることがなく、従って光ディスク装置がシャットダウンせず通常動作に容易に復帰することができる。
【発明を実施するための最良の形態】
【００１８】
請求項１記載の発明は、光ピックアップユニットのトラッキングサーボの制御又はフォーカスサーボの制御を行う光ピックアップ制御手段と、外部機器との接続手段と、接続手段を介して外部機器から電力の供給を受けその入力電流を検知する入力電流レベル検知部と、入力電流レベル検出部が所定の閾値を越えたことを検知した場合、光ピックアップユニットの制御を一時停止する制御手段とを具備した光ディスク装置であり、この構成により、例えば光ディスク装置に外的要因による振動が発生しフォーカスエラー、トラッキングエラーが増大しても、外部機器からの流入電流を監視できるようになり、外部機器の供給能力内のレベルに制御することができ、また光ディスク装置に対しての衝撃などの外的要因による流入電流増加や、光ディスクメディアの重偏芯、キズなどによるトラッキングエラー修正などの要因による流入電流増加によって、所定の電流の閾値を越えてもモータなどの付加を一時的に制限できるので、外部機器の供給能力を超えることがなく外部機器の供給能力に応じた対応が出来るようになる。
【００１９】
請求項２記載の発明は、光ピックアップ制御手段は、フィードモータドライバ、スピンドルモータドライバ、アクチュエータドライバを有し、制御手段は、前記フィードモータドライバ、スピンドルモータドライバ、アクチュエータドライバの少なくとも１つを一時停止することを特徴とする請求項１記載の光ディスク装置であり、負荷の大きいモータのいずれかもしくはすべてを一時的に停止することで、突発的に流入する電流を容易に低減できるようになる。
【００２０】
請求項３記載の発明は、所定の電流値を越えたことを検知したら光ピックアップユニットの制御を複数回数に分けて一時停止することを特徴とする請求項１記載の光ディスク装置であり、長期に亘って流入電流を監視しながら所定の閾値以下になるまで調整することができるようになり、外的要因による長期に亘る振動に対してもまた、光ディスク媒体の不具合があっても、外部機器の電流供給能力を既定値以内に保つことが出来るようになる。
【００２１】
請求項４記載の発明は、接続手段は、ＵＳＢ（ユニバーサル・シリアル・バス）であり、接続手段により接続される外部機器はコンピュータであることを特徴とする請求項１から３いずれか１項に記載の光ディスク装置であり、ノート型のホストコンピュータ等とＵＳＢケーブルで接続する外付けタイプの光ディスク装置として使用することが出来ようになり、使用中の落下振動などにも対応できるようになる。
【００２２】
請求項５記載の発明は、コンピュータとＵＳＢポートによって接続される外付けタイプの光ディスク装置であって、光ディスクを回転させるスピンドルモータと、光ディスクに対して情報の記録または再生を行う光ピックアップユニットと、光ピックアップユニットを光ディスクの半径方向に粗移動するフィードモータと、スピンドルモータを駆動するスピンドルモータドライバと、光ピックアップユニットを駆動するアクチュエータドライバと、フィードモータを駆動するフィードモータドライバと、ＵＳＢポートからスピンドルモータ、アクチュエータドライバまたはフィードモータドライバへの入力電流を検知する電流レベル検出部とを有し、電流レベル検出部が、流入電流レベルが所定値を越えたことを検知した場合、流入電流が閾値以下になるまで断続的にスピンドルモータドライバ、アクチュエータドライバまたはフィードモータドライバのいずれかを停止することを特徴とする光ディスク装置であり、光ディスク装置に瞬間的に外的な振動などが加わることによりトラッキングエラーやフォーカスエラーが大きくなり、瞬間的な電流消費により過電流が発生しても、ホストコンピュータのＵＳＢポートからの電源供給がシャットダウンさせることがなく、従って光ディスク装置がシャットダウンせず通常動作に容易に復帰することができる。
【００２３】
請求項６記載の発明は、制御手段は、光ピックアップユニットの制御を一時停止するとともに、光ピックアップユニットによる記録又は再生を一時停止することを特徴とする請求項１から請求項５のいずれか１項記載の光ディスク装置であり、一時停止後の記録又は再生を容易に実行できるようになる。
【００２４】
請求項７記載の発明は、光ピックアップユニットのトラッキングサーボの制御又はフォーカスサーボの制御を行う光ピックアップ制御手段を有する光ディスク装置の記録再生方法であって、外部機器との接続手段との接続手段を介して外部機器から電力の供給を受けその入力電流を検知する入力電流レベル検知部と、入力電流レベル検出部が所定の閾値を越えたことを検知した場合、光ピックアップユニットの制御を一時停止することを特徴とする光ディスク装置の記録再生方法であり、光ディスク装置に瞬間的に外的な振動などが加わることによりトラッキングエラーやフォーカスエラーが大きくなり、瞬間的な電流消費により過電流が発生しても、ホストコンピュータのＵＳＢポートからの電源供給がシャットダウンさせることがなく従って光ディスク装置がシャットダウンせず通常動作に容易に復帰することができようになる。
【００２５】
（実施の形態）
以下、本発明の実施の形態について、図を参照して説明する。
【００２６】
図１は本発明の実施の形態に係わる光ディスク装置の外観図である。
【００２７】
図１において、１０１は光ディスク装置、１０２は上蓋、１０３はＵＳＢ接続用コネクタ、１０４はＵＳＢケーブル、１０５はコンピュータ、１０６はＡＣアダプタ、１０７はコンセント、１０８はＤＣジャックである。
【００２８】
光ディスク装置１０１は、コンピュータ１０５などの電子機器に内蔵していない所謂外付けタイプのもので、上蓋１０２を開けて光ディスクが装着される。１０３はＵＳＢ接続用コネクタであり、ＵＳＢケーブル１０４にて例えばコンピュータ１０５に接続することにより、コンピュータ１０５は光ディスクからデータを読み取り、あるいは光ディスクにデータを書き込むことができる。１０６はＡＣアダプタであり、商用電源（１００Ｖ等）のコンセント１０７からの電圧を降圧及び整流平滑し、ＤＣジャック１０８から光ディスク装置１０１に電流を供給する。
【００２９】
通常、外付けタイプの光ディスク装置１０１の電流取得は、ＵＳＢケーブル１０４などの電源バスに依る場合の他、ＡＣアダプタ１０６に依る場合がある。ＵＳＢケーブル１０４の電源バスで光ディスク装置１０１が必要とする電流を常に供給できるかは、主にコンピュータ１０５の電流供給能力や光ディスク装置１０１の消費電流に依存する。光ディスクにはＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷが含まれ、光ディスク装置１０１はこれら光ディスクの１種類もしくは数種類に対応可能としている。
【００３０】
なお、光ディスク装置１０１の内部で使用するのに適した電流電圧にする電源回路を備えているものであれば、ＡＣアダプタ１０６を使用せず、商用電源を直接適切な電線とコネクタで引き込む構成であっても良い。また、商用電源は使用せず、光ディスク装置１０１に内蔵もしくは外付けされた電池を駆動用電源とするものであってもよい。光ディスク装置１０１を使用する際にいくつものケーブルを接続する手間を省き、使用者の使い勝手を考慮すれば、好ましくはＵＳＢケーブル１０４の電源バスのみの駆動である。
【００３１】
ＵＳＢケーブル１０４は、通常、コンピュータ１０５などの電子機器側と光ディスク装置１０１側にそれぞれ１つの接続端子で接続しているが、場合によりコンピュータ１０５などの電子機器側の端子が複数あってもよい。そうすることにより、電子機器からＵＳＢケーブル１０４などを介して供給される電流の許容範囲を向上させることができる。
【００３２】
図２は本発明の実施の形態に係わる光ディスク記録装置の構成を示すブロック図である。
【００３３】
図２において、１は光ディスク、２はフィードモータ、３はスピンドルモータ、４は光ピックアップユニット、５はＬＤドライバ、６はフィードモータドライバ、７はスピンドルモータドライバ、８はアクチュエータドライバ、９はリードアンプ、１０はＣＤエンコーダ、１１はＣＤ−ＲＯＭエンコーダ、１２はバッファメモリ、１３はＡＴＩＰディテクタ、１４はＣＤ−ＲＯＭデコーダ、１５はＣＤサーボプロセッサ、１６はシステムバス、１７はＣＰＵ、１８はリードオンリメモリ（ＲＯＭ）、１９はメインメモリ、２０は不揮発メモリ、２１はインターフェース部、２２はインターフェースバス、２３は電源ユニット、２４はＰＣ電源、２５はＡＣアダプタ、２６はＤＩＰＳＷである。
【００３４】
光ディスク１はスピンドルモータ３によって回転し、光ピックアップユニット４がフィードモータ２によって光ディスク１の半径方向に移動して粗調され、アクチュエータドライバ８によって微調され光ディスク１に対してデータの書き込みや読み取りがなされる。スピンドルモータ３はスピンドルモータドライバ７によって駆動され、フィードモータ２はフィードモータドライバ６によって駆動される。また、光ピックアップユニット４はアクチュエータドライバ８によって駆動される。
【００３５】
フィードモータドライバ６、スピンドルモータドライバ７、アクチュエータドライバ８は、ＣＤサーボプロセッサ１５によってサーボ制御される。光ピックアップユニット４にはレーザダイオードが内蔵されており（図示せず）、レーザダイオードはＬＤドライバ５によって駆動され、ＣＤエンコーダ１０から制御される。ＣＤ−ＲＯＭエンコーダ１１は、記録すべきデータを格納されているバッファメモリ１２から取得し、記録のためにエンコード処理を行い、その結果をＣＤエンコーダ１０に入力するものである。
【００３６】
再生系では、光ディスク１と光ピックアップユニット４から得られる光信号はリードアンプ９で信号処理され、ＣＤサーボプロセッサ１５へのフィードバック信号として使われると共に、ＡＴＩＰディテクタ１３の入力信号となり、その出力信号はＣＤエンコーダ１０へフィードバックされる。ＣＤ−ＲＯＭデコーダ１４はＣＤ信号を復調するためのものであり、ＣＤサーボプロセッサ１５の出力信号を使ってデータ復調を行い、その結果をバッファメモリ１２へ格納する。バッファメモリ１２は記録データ、および復調したデータを一時記憶するためのメモリである。これらのデータはインターフェース部２１を経由し、インターフェースバス２２を使った通信でコンピュータとやりとりされる。
【００３７】
ＣＰＵ１７は論理判断、演算、制御プログラムの実行等を行う。１８はリードオンリメモリ（ＲＯＭ）で、制御プログラム、ならびに光ディスク記録装置のための記録制御プログラムを記憶したプログラム記憶エリアを有している。１９はメインメモリであり、記録制御、再生制御に必要な記憶領域として使用される。
【００３８】
ここで、ＣＰＵ１７は本発明の制御部であり、ＣＤエンコーダ１０、ＣＤ−ＲＯＭエンコーダ１１、バッファメモリ１２、ＣＤ−ＲＯＭデコーダ１４、ＣＤサーボプロセッサ１５、ＲＯＭ１８、メインメモリ１９、不揮発メモリ２０、インターフェース部２１の各部から送られる信号が入力され、これらの信号の演算処理等を行い、この演算処理の結果（信号）を各部に送出し、各部にて駆動、処理を実行させ、各部の制御を行うものである。
【００３９】
システムバス１６は、光ディスク装置１０１内でのデータ転送用バスである。電源部分は、電源ユニット２３から、各制御チップに対して電圧を安定供給する。また、電源ユニット２３は、ＡＣアダプタ２５やＰＣ電源２４から、電源供給を受ける。ＰＣ電源２４は、パソコンにＵＳＢ接続されたインターフェース部２１から電源端子ＶＢＵＳ端子の電圧に連動しドライブの電源ユニット２３に電圧を供給する仕組みを有し、ＵＳＢ電源のＯＮ／ＯＦＦに連動し自動的にドライブを起動及び終了させる。
【００４０】
本実施の形態では、標準使用状態の場合、ＵＳＢケーブル１０４の電源バスのみで駆動できるように光ディスク装置１０１側の制御が行なわれるため、ＡＣアダプタ２５を介した電流供給は不要となる。また、フィードモータドライバ６、スピンドルモータドライバ７、アクチュエータドライバ８に過電流検出部３１を通じて電流を供給している。ここで、標準使用状態とは、低消費電流モードなどのことである。そのため、光ディスク装置１０１を使用する際にいくつものケーブルを接続する手間が省け、使用者の使い勝手が向上する。
【００４１】
図３は、本発明の実施の形態に係わる光ディスク装置の過電流検出部のブロック図である。図３に示すように、ＵＳＢバスの電力伝達部（バスパワー）から、フィードモータドライバ６、スピンドルモータドライバ７、アクチュエータドライバ８を内蔵するモータドライバＩＣ３０３へ向かう伝達経路に過電流検出用の過電流検出用抵抗３０１および過電流検出回路３０２を設けている。外付けタイプの光ディスク装置１０１は、持ち運びが便利なように小型軽量化が図られており便利ではあるが、取り扱う際に、例えば光ディスクの情報を記録中もしくは、再生中に光ディスク装置１０１に接触することがある。この時、フォーカスエラーが大きくなったり、トラッキングエラーが大きくなったりする。フォーカスエラーやトラッキングエラーを修正するように、フィードモータドライバ６やアクチュエータドライバ８には大きな電流を流す必要があり、ＵＳＢバスからの流入電流を増加させる必要がある。ＵＳＢバスからの許容電流は、一般には、５００ｍＡＭＡＸと規定されているが、実際のホストコンピュータは電流裕度を有したものが多い。
【００４２】
過電流検出回路３０２はＵＳＢバスからの流入電流が所定値を越えたら、モータドライバＩＣ３０３のスタンバイ信号レベルを低レベルに設定し、モータドライバＩＣ３０３をＯＦＦとする。モータドライバＩＣ３０３には、フィードモータドライバ６、スピンドルモータドライバ７、アクチュエータドライバ８を全て内蔵する場合もあるが、個別に構成してもよい。また、ＵＳＢバスの流入電流が所定値を越えた場合に、全てのモータドライバ（フィードモータドライバ６、スピンドルモータドライバ７、アクチュエータドライバ８）を全て一時停止するのではなく、少なくとも一つを一時停止する構成としてもよい。
【００４３】
図４は、本発明の実施の形態に係わるスタンバイ信号とモータドライブ電流を示す図である。
【００４４】
図４において、６０１はスタンバイ信号、６０２はモータドライブＩＣに流入する電流（Ｍ５Ｖ電流）である。図４（ｂ）は図４（ａ）の拡大図である。図に示すようにスタンバイ信号をＬＯＷレベルにすることで、Ｍ５Ｖ電流６０２を一時停止し、記録および再生を一時停止している。
【００４５】
また、図４（ａ）の示すように、Ｍ５Ｖ電流６０２が所定値を越えた場合には、断続的にスタンバイ信号６０１をＬＯＷレベルにしてＭ５Ｖ電流６０２が所定値以下となるようにしている。
【００４６】
図５は、本発明の実施の形態に係わる起動処理を示すフローチャートである。
【００４７】
起動処理開始（Ｓ５０１）し、コンピュータ１０５のＵＳＢ接続用コネクタ１０３に光ディスク装置１０１をＵＳＢケーブル１０４で接続する（Ｓ５０２）と、コンピュータ１０５が光ディスク装置１０１を識別（Ｓ５０３）する。光ディスク装置１０１に光ディスクを挿入する（Ｓ５０４）と、スピンドルモータドライバ７を動作させ（Ｓ５０５）、スピンドルモータ３を回転させ（Ｓ５０６）、フォーカスサーボ、トラッキングサーボを動作させ（Ｓ５０７）、起動処理を完了する（Ｓ５０８）。
【００４８】
図６は、本発明の実施の形態に係わる過電流の検出方法のフローチャートである。
【００４９】
記録動作または、再生動作が開始される（Ｓ６０１）と、トラッキングエラー（ＴＥ）、フォーカスエラー（ＦＥ）を検出し（Ｓ６０２）、光ピックアップユニット４を制御する（Ｓ６０３）。動作している過電流検出回路でコンピュータ１０５からの流入電流を検出し（Ｓ６０４）、流入電流が閾値、例えば５００ｍＡを越えたかどうか判定し（Ｓ６０５）、越えていなければ記録または再生動作をし（Ｓ６０６）、再生または記録が終了したら（Ｓ６０７）、モータ回転を停止し（Ｓ６０８）、記録または再生を終了する（Ｓ６０９）。再生または記録が終了していなければ（Ｓ６０７）、Ｓ６０２に戻る。
【００５０】
流入電流が閾値を越えたら（Ｓ６０５）、スピンドルモータドライバ７を非アクティブとし（Ｓ６１０）、スピンドルモータ３を停止し（Ｓ６１１）、記録または再生を一時停止し（Ｓ６１２）、スピンドルモータドライバー７をアクティブとし（Ｓ６１３）、記録または再生を再開し（Ｓ６１４）、Ｓ６０２に戻る。ここで、モータドライバＩＣ３０３の非アクティブ時間を所定の時間にすることで、閾値以下になるまで断続的に前記アクチュエータドライバ８、前記フィードモータドライバ６およびスピンドルモータドライバ７の少なくとも１を一時停止させ、記録および再生を一時停止し、流入電流の監視を続け通常動作への復帰を早めている。
【００５１】
本実施の形態では、あらかじめ決められた電流の閾値は、コンピュータのバスパワーの電流供給能力に応じて可変できるものとしてよいが、供給能力に応じて可変するものに限定されるものでは無い。また、光ディスクの記録または、再生速度に応じて可変できるものとしてもよい。
【産業上の利用可能性】
【００５２】
本発明は、瞬間的な電流消費により電流供給源の許容電流量に裕度が無い場合であっても、電流供給源の許容範囲を超えることなく、動作可能な光ピックアップの制御方法を実現することができ、光ディスクに対して情報の記録又は再生の少なくとも一方を行なう特に外付けタイプの光ディスク装置などに適応可能である。
【図面の簡単な説明】
【００５３】
【図１】本発明の実施の形態に係わる光ディスク装置の外観図
【図２】本発明の実施の形態に係わる光ディスク記録装置の構成を示すブロック図
【図３】本発明の実施の形態に係わる光ディスク装置の過電流検出部のブロック図
【図４】本発明の実施の形態に係わるスタンバイ信号とモータドライブ電流を示す図
【図５】本発明の実施の形態に係わる起動処理を示すフローチャート
【図６】本発明の実施の形態に係わる過電流の検出方法のフローチャート
【図７】従来の光ディスク装置の構成を示すブロック図
【図８】従来の光ピックアップユニットの制御を示すフローチャート
【図９】従来のドライバ電流の波形構成図
【符号の説明】
【００５４】
１    光ディスク
２    フィードモータ
３    スピンドルモータ
４    光ピックアップユニット
５    ＬＤドライバ
６    フィードモータドライバ
７    スピンドルモータドライバ
８    アクチュエータドライバ
９    リードアンプ
１０    ＣＤエンコーダ
１１    ＣＤ−ＲＯＭエンコーダ
１２    バッファメモリ
１３    ＡＴＩＰディテクタ
１４    ＣＤ−ＲＯＭデコーダ
１５    ＣＤサーボプロセッサ
１６    システムバス
１７    ＣＰＵ
１８    リードオンリメモリ（ＲＯＭ）
１９    メインメモリ
２０    不揮発メモリ
２１    インターフェース部
２２    インターフェースバス
２３    電源ユニット
２４    ＰＣ電源
２５    ＡＣアダプタ
２６    ＤＩＰＳＷ
１０１    光ディスク装置
１０２    上蓋
１０３    ＵＳＢ接続用コネクタ
１０４    ＵＳＢケーブル
１０５    コンピュータ
１０６    ＡＣアダプタ
１０７    コンセント
１０８    ＤＣジャック
３０１    過電流検出抵抗
３０３    モータドライバＩＣ
【図１】
2006309912.tif 000003
【図２】
2006309912.tif 000004
【図３】
2006309912.tif 000005
【図４】
2006309912.tif 000006
【図５】
2006309912.tif 000007
【図６】
2006309912.tif 000008
【図７】
2006309912.tif 000009
【図８】
2006309912.tif 000010
【図９】
2006309912.tif 000011